(57)【要約】【課題】エチゼンクラゲのような大型のクラゲが魚網内に入ったとしても、そのようなエチゼンクラゲのような大型のクラゲが、魚網外へ排出される魚網を提供する。【解決手段】魚網本体５と、魚網本体５の網上面２の途中の位置に設けられた排出口ｈ１と、クラゲ遮断用の網１０と、この排出口ｈ１の形状を一定の形状に保つための第四の枠体１２とを備え、第四の枠体１２の、第四の枠体１２を魚網本体５に取り付けた後に、魚網本体５の開口部側となる枠体部１２ｂには、第四の枠体１２に対して開閉可能なように枢着された第五の枠体１３が設けられており、クラゲ遮断用の網１０が、魚網本体の網下面３から途中位置Ｐ１から、第四の枠体１２の、第四の枠体１２を魚網本体５に取り付けた後に、魚網本体５の開口部と反対側に位置する枠体部１２ｂに設けられており、且つ、第五の枠体１３の開口部ｈ１３には、網部材１９が設けられるようにされている。【選択図】  図１
2007028929.tif 000002
【特許請求の範囲】
【請求項１】
魚網本体の網上面に設けた排出口の形状を一定に保つための第一の枠体と、
前記第一の枠体の、前記第一の枠体を前記魚網本体に取り付けた後に、前記魚網本体の開口部側となる枠体部に、前記第一の枠体に対して開閉可能なように枢着された第二の枠体と、
前記第一の枠体の、前記第一の枠体を前記魚網に取り付けた後に、前記魚網本体の開口部側となる枠体部に、前記第一の枠体に対し、後方に行くに従って下方に位置するように設けられた、クラゲ遮断用の網を取り付ける第三の枠体と、
前記第一の枠体を魚網本体に取り付けた後に、前記第一の枠体の魚網本体の開口部の反対側に位置する枠体部の両端の各々と、前記第三の枠体の魚網本体の開口部の反対側に位置する枠体部の両端の各々とを連接する一対の接続部材とを備え、
前記第一の枠体を魚網本体に取り付けた後に、前記第一の枠体の魚網本体の開口部の反対側に位置する枠体部、前記第三の枠体の魚網本体の開口部の反対側に位置する枠体部及び前記一対の連接部材により形成される枠体の目の大きさを、捕獲する漁獲物よりも大きく、且つ、エチゼンクラゲのような大型のクラゲの大きさよりも小さくし、且つ、
前記第二の枠体の開口部には、網部材が設けられるようにされている、魚網用の枠部材。
【請求項２】
魚網本体と、
前記魚網本体の網上面の途中の位置に設けられた排出口と、
クラゲ遮断用の網とを備え、
前記魚網本体の網上面の途中の位置に設けられた排出口には、この排出口の形状を一定の形状に保つための第四の枠体が取り付けられており、
前記第四の枠体の、前記第四の枠体を前記魚網本体に取り付けた後に、前記魚網本体の開口部側となる枠体部には、前記第四の枠体に対して開閉可能なように枢着された第五の枠体が設けられており、
前記クラゲ遮断用の網が、前記魚網本体の網下面又は網下面の途中位置から、前記第四の枠体の、前記第四の枠体を魚網本体に取り付けた後に、前記魚網本体の開口部と反対側に位置する枠体部に設けられており、且つ、
前記第五の枠体の開口部には、網部材が設けられるようにされている、魚網。
【請求項３】
前記第四の枠体の、前記第四の枠体を前記魚網本体に取り付けた後に、前記魚網本体の開口部側となる枠体部には、前記第四の枠体に対し、後方に行くに従って下方に位置するように設けられた、クラゲ遮断用の網を取り付ける第六の枠体が更に設けられており、
前記第四の枠体を前記魚網本体に取り付けた後に、前記第四の枠体の魚網本体の開口部の反対側に位置する枠体部の両端と、前記第六の枠体の前記魚網本体の開口部の反対側に位置する枠体部の両端には、これらを連接する一対の接続部材が設けられており、
前記第四の枠体を魚網本体に取り付けた後に、前記第四の枠体の魚網本体の開口部の反対側に位置する枠体部、前記第六の枠体の魚網本体の開口部の反対側に位置する枠体部及び前記一対の連接部材により形成される枠体の目の大きさを、捕獲する漁獲物よりも大きく、且つ、エチゼンクラゲのような大型のクラゲの大きさよりも小さくし、
前記クラゲ遮断用の網が、前記魚網本体の網下面又は網下面の途中位置から、前記第六の枠体の、前記第四の枠体を魚網本体に取り付けた後に、前記魚網の開口部と反対側に位置する枠体部に設けられている、請求項２に記載の魚網。
【請求項４】
前記クラゲ遮断用の網の目が、捕獲する漁獲物よりも大きく、且つ、エチゼンクラゲのような大型のクラゲの大きさよりも小さくされている、請求項２又は請求項３に記載の魚網。
【請求項５】
前記第四の枠体に、浮力調整部材を取り付けた、請求項２〜４のいずれかに記載の魚網。
【請求項６】
前記第五の枠体の、前記第四の枠体を魚網本体に取り付けた後に、魚網の開口部側と反対側に位置する枠体部に、前記第五の枠体を開くためのロープを接続した、請求項２〜５のいずれかに記載の魚網。
【請求項７】
前記第五の枠体に、重りを取り付けた、請求項２〜６のいずれかに記載の魚網。
【請求項８】
請求項２〜７のいずれかに記載の魚網を備える、曳網。
【発明の詳細な説明】
【技術分野】
【０００１】
本発明は、魚網用の枠体、魚網及び曳網に関し、特に、エチゼンクラゲのような大型のクラゲが魚網内に入ったとしても、そのようなエチゼンクラゲのような大型のクラゲが、魚網外へ排出されるようにした魚網を作製する際に用いる魚網用の枠体、魚網及び曳網に関する。
【背景技術】
【０００２】
底曳網漁業では、例えば、エチゼンクラゲのような大型のクラゲのようなクラゲが大量に入網すると、魚網が破れたり、また、船上で、クラゲと漁獲物との選別作業に手間がかかる、という問題がある。
【０００３】
クラゲと漁獲物との選別作業に時間がかかると、漁獲物の鮮度が低下し、漁獲物の商品価値が著しく低下する、という問題がある。
【０００４】
このような問題を解決する技術として、既に、底曳網の曳網作業中に、魚網からクラゲだけを排出する機構を有する底曳網の研究がなされている。
【０００５】
図１０は、既に提案されている、そのような底曳網を模式的に示す説明図である。
【０００６】
また、図１１は、図１０に示す底曳網が、底曳網内に入った、エチゼンクラゲのような大型のクラゲを、底曳網１０１外へ排出する状態を、その排出口及びその近傍を中心に説明する摸式的な断面図である。
【０００７】
尚、図１０及び図１１では、魚網本体の網目については、図示するのを省略する。
【０００８】
この底曳網１０１は、魚網本体１０５と、魚網本体１０５の途中の位置に、網上面１０２から網下面１０３から途中の位置Ｐ１０１にかけて設けられたクラゲ遮断用の網１１０と、クラゲ遮断用の網１１０の後方位置の、網下面１０３に設けられた排出口ｈ１０１と、クラゲ遮断用の網１１０に連続するように、且つ、排出口ｈ１０１を開閉するように設けられたクラゲ誘導網１１３とを備える。
【０００９】
クラゲ遮断用の網１１０の目及びクラゲ誘導網１１３の目の各々の大きさは、捕獲する漁獲物よりも大きく、且つ、エチゼンクラゲのような大型のクラゲの大きさよりも小さくされている。
【００１０】
この底曳網１０１を用いて、底曳網漁業をした場合、この底曳網１０１では、網上面１０２の途中の位置に、網上面１０２から網下面１０３にかけて設けられたクラゲ遮断用の網１１０の目及びクラゲ誘導網１１３の目が、エチゼンクラゲのような大型のクラゲの大きさよりも小さくされているので、この底曳網１０１内に入った、エチゼンクラゲのような大型のクラゲは、網上面１０２の途中の位置に、網上面１０２から網下面１０３から途中の位置Ｐ１０１にかけて設けられたクラゲ遮断用の網１１０にひっかかり、その後、クラゲ誘導網１１３の下方を通って、排出口ｈ１０１から底曳網１０１外へと排出される。
【００１１】
一方、この底曳網１０１では、魚網本体１０５の途中の位置に、網上面１０２から網下面１０３から途中の位置Ｐ１０１にかけて設けられたクラゲ遮断用の網１１０の目及びクラゲ誘導網１１３の目が、捕獲する漁獲物よりも大きくされているので、捕獲する漁獲物は、クラゲ遮断用の網１１０を通過し、袋部（図１０に示す袋部１０１ａ）に追い入れられる。
【００１２】
即ち、この底曳網１０１を用いて、底曳網漁業をすれば、エチゼンクラゲのような大型のクラゲが底曳網１０１内に入ったとしても、そのようなエチゼンクラゲのような大型のクラゲは、排出口ｈ１０１から底曳網１０１外へ排出されるので、網が破れたり、船上での、クラゲと漁獲物との選別作業に手間がかかったりする、といった問題が生じない。
【００１３】
また、選別作業に時間がかからないので、漁獲物の鮮度が低下し、漁獲物の商品価値が著しく低下する、という問題も生じない、とされている。
【非特許文献１】島根県水産試験場  漁海況情報  平成１６年１０月２７日発行  トビウオ通信（１０月号）、http://www2.pref.shimane.jp/suisi/
【発明の開示】
【発明が解決しようとする課題】
【００１４】
しかしながら、この底曳網１０１には、更に、改良の余地がある。
【００１５】
即ち、本発明者は、この底曳網１０１と同様の網を試作し、その機能試験を行った結果、この底曳網１０１を用いて、底曳網漁業をした場合、この底曳網１０１内に入った、エチゼンクラゲのような大型のクラゲが、必ずしも、排出口ｈ１０１から底曳網１０１外へと排出されない、ということを知見するに至った。
【００１６】
より具体的に説明すると、底曳網１０１に、単に、クラゲの排出口ｈ１０１を形成しただけでは、排出口ｈ１０１の形状が、底曳網漁業を行っている際に、種々の形状に変形し、排出口ｈ１０１の形状によっては、エチゼンクラゲのような大型のクラゲが排出口から排出されない、といったような問題が生じ得る。
【００１７】
また、エチゼンクラゲのような大型のクラゲは、底曳網１０１に入った場合、底曳網１０１の上方に移動する傾向があるため、クラゲ遮断用の網１１０にひっかかり、その後、クラゲ誘導網１１３によって、クラゲを、底曳網１０１の網下面１０３に設けられた排出口ｈ１０１へ誘導するようにしても、クラゲが、排出口ｈ１０１方向へは移動しない、といった問題が生じ得る。
【００１８】
のみならず、底曳網１０１の網下面１０３に、単に、排出口ｈ１０１を設けただけの底曳網１０１を用いて底曳網漁業を行った場合には、エチゼンクラゲのような大型のクラゲを排出する際に、クラゲ誘導網１１３が、排出口ｈ１０１を開いた状態になった際に、これと同時に、底曳網１０１内の魚も、排出口ｈ１０１から海中に排出されるため、魚の漁獲量が減少する、という問題もある。
【００１９】
更には、底曳網１０１のように、網上面１０２から網下面１０３から途中の位置Ｐ１０１にかけてクラゲ遮断用の網１１０を設けた場合には、魚体の大きい、いわゆる高級魚が、エチゼンクラゲのような大型のクラゲとともに、排出口から海中に排出されるため、魚体の大きい魚（いわゆる高級魚）の漁獲量が減少する、という問題もある。
【００２０】
本発明は、上記した問題を解決するためになされたものであって、網内に入った、エチゼンクラゲのような大型のクラゲを排出口から網外へ、より一層、排出されやすく、且つ、漁獲量も減少し難い魚網、そのような魚網を作製する際に用いる魚網用の枠体、及び、そのような魚網を備える曳網を提供することを目的としている。
【課題を解決するための手段】
【００２１】
請求項１に記載の、魚網用の枠部材は、魚網本体の網上面に設けた排出口の形状を一定に保つための第一の枠体と、第一の枠体の、第一の枠体を前記魚網本体に取り付けた後に、魚網本体の開口部側となる枠体部に、第一の枠体に対して開閉可能なように枢着された第二の枠体と、第一の枠体の、第一の枠体を前記魚網に取り付けた後に、魚網本体の開口部側となる枠体部に、第一の枠体に対し、後方に行くに従って下方に位置するように設けられた、クラゲ遮断用の網を取り付ける第三の枠体と、第一の枠体を魚網本体に取り付けた後に、第一の枠体の魚網本体の開口部の反対側に位置する枠体部の両端の各々と、第三の枠体の魚網本体の開口部の反対側に位置する枠体部の両端の各々とを連接する一対の接続部材とを備え、第一の枠体を魚網本体に取り付けた後に、第一の枠体の魚網本体の開口部の反対側に位置する枠体部、第三の枠体の魚網本体の開口部の反対側に位置する枠体部及び一対の連接部材により形成される枠体の目の大きさを、捕獲する漁獲物よりも大きく、且つ、エチゼンクラゲのような大型のクラゲの大きさよりも小さくし、且つ、第二の枠体の開口部には、網部材が設けられるようにされている。
【００２２】
請求項２に記載の魚網は、魚網本体と、魚網本体の網上面の途中の位置に設けられた排出口と、クラゲ遮断用の網とを備え、魚網本体の網上面の途中の位置に設けられた排出口には、この排出口の形状を一定の形状に保つための第四の枠体が取り付けられており、第四の枠体の、第四の枠体を魚網本体に取り付けた後に、魚網本体の開口部側となる枠体部には、第四の枠体に対して開閉可能なように枢着された第五の枠体が設けられており、クラゲ遮断用の網が、魚網本体の網下面又は網下面の途中位置から、第四の枠体の、第四の枠体を魚網本体に取り付けた後に、魚網本体の開口部と反対側に位置する枠体部に設けられており、且つ、第五の枠体の開口部には、網部材が設けられるようにされている。
【００２３】
請求項３に記載の魚網は、請求項２に記載の魚網の、第四の枠体の、第四の枠体を魚網本体に取り付けた後に、魚網本体の開口部側となる枠体部には、第四の枠体に対し、後方に行くに従って下方に位置するように設けられた、クラゲ遮断用の網を取り付ける第六の枠体が更に設けられており、第四の枠体を魚網本体に取り付けた後に、第四の枠体の魚網本体の開口部の反対側に位置する枠体部の両端と、第六の枠体の前記魚網本体の開口部の反対側に位置する枠体部の両端には、これらを連接する一対の接続部材が設けられており、第四の枠体を魚網本体に取り付けた後に、第四の枠体の魚網本体の開口部の反対側に位置する枠体部、第六の枠体の魚網本体の開口部の反対側に位置する枠体部及び一対の連接部材により形成される枠体の目の大きさを、捕獲する漁獲物よりも大きく、且つ、エチゼンクラゲのような大型のクラゲの大きさよりも小さくし、クラゲ遮断用の網が、魚網本体の網下面又は網下面の途中位置から、第六の枠体の、第四の枠体を魚網本体に取り付けた後に、魚網の開口部と反対側に位置する枠体部に設けられている。
【００２４】
請求項４に記載の魚網は、請求項２又は請求項３に記載の魚網の、クラゲ遮断用の網の目が、捕獲する漁獲物よりも大きく、且つ、エチゼンクラゲのような大型のクラゲの大きさよりも小さくされている。
【００２５】
請求項５に記載の魚網は、請求項２〜４のいずれかに記載の魚網の、第四の枠体に、浮力調整部材を取り付けた。
【００２６】
請求項６に記載の魚網は、請求項２〜５のいずれかに記載の魚網の、第五の枠体の、第五の枠体を魚網本体に取り付けた後に、魚網の開口部側と反対側に位置する枠体部に、第五の枠体を開くためのロープを接続した。
【００２７】
請求項７に記載の魚網は、請求項２〜６のいずれかに記載の魚網の、第五の枠体に、重りを取り付けた。
【００２８】
請求項８に記載の曳網は、請求項２〜７のいずれかに記載の魚網を備える。
【００２９】
ここで、本明細書で用いる用語、「曳網」は、底曳網、船曳網その他の曳網を意味する。
【発明の効果】
【００３０】
請求項１に記載の魚網用の枠部材は、魚網の網上面に設けた排出口の形状を形成する第一の枠体を備えているので、この魚網用の枠部材の第一の枠体を、魚網の排出口に取り付けることで、魚網の排出口の形状を一定形状に保つことができる。
【００３１】
この結果、この魚網用の枠部材を備え、魚網に設けた排出口の形状を、この魚網用の枠部材を構成する第一の枠体を用いて一定の形状に形成するようにした魚網を用い、底曳網漁業や船曳網漁業等を行えば、底曳網漁業や船曳網漁業等中に、排出口の形状が種々の形状に変形することが無いので、例えば、エチゼンクラゲのような大型のクラゲが排出口から、魚網外へ、スムーズに排出される。
【００３２】
また、この魚網用の枠部材は、網上面に排出口を備える魚網の排出口を第一の枠体を用いて一定の形状に形成するようにして使用するものであるので、この魚網用の枠部材を備え、魚網に設けた排出口の形状を、この魚網用の枠部材を構成する第一の枠体を用いて一定の形状に形成するようにした魚網を用い、底曳網漁業や船曳網漁業等を行えば、底曳網漁業や船曳網漁業等中に、エチゼンクラゲのような大型のクラゲが魚網内に入った場合、そのようなクラゲは、魚網の上方に移動する傾向があるので、この傾向に従って、クラゲが排出口から、魚網の外にスムーズに排出される。
【００３３】
のみならず、この魚網用の枠部材は、第一の枠体を魚網に取り付けた後に、第一の枠体の魚網の開口部の反対側に位置する枠体部、第三の枠体の魚網の開口部の反対側に位置する枠体部及び一対の連接部材により形成される枠体の目の大きさを、捕獲する漁獲物よりも大きく、且つ、エチゼンクラゲのような大型のクラゲの大きさよりも小さくしているので、第二の枠体が、エチゼンクラゲを排出する際に、排出口を開いた状態にした際に、エチゼンクラゲのような大型のクラゲは、排出口から魚網の外に排出されるが、エチゼンクラゲのような大型のクラゲより小さい魚介類は、第一の枠体の魚網の開口部の反対側に位置する枠体部、第三の枠体の魚網の開口部の反対側に位置する枠体部及び一対の連接部材により形成される開口部を通過して、袋部に追い入れられる。
【００３４】
従って、この魚網用の枠部材を備え、魚網に設けた排出口の形状を、この魚網用の枠部材を構成する第一の枠体を用いて一定の形状に形成するようにした魚網を用い、底曳網漁業や船曳網漁業等を行えば、底曳網漁業や船曳網漁業等中に、主に、エチゼンクラゲのような大型のクラゲだけが排出口から、魚網外へ、スムーズに排出され、エチゼンクラゲのような大型のクラゲよりも小さい大きさの魚介類は、袋部に追い入れられることとなるので、魚介類の漁獲量が減少する、という問題は生じず、むしろ、底曳網漁業や船曳網漁業等中に、網外へエチゼンクラゲが排出された分、一網作業当たりの魚の漁獲量が増加する。
【００３５】
請求項２に記載の魚網では、第四の枠体を、魚網の網上面に設けた排出口に取り付けることで、魚網の網上面に設けた排出口の形状が変化しないようにしている。
【００３６】
この結果、この魚網を用い、底曳網漁業や船曳網漁業等を行えば、底曳網漁業船や曳網漁業等中に、排出口の形状が種々の形状に変形することが無いので、エチゼンクラゲのような大型のクラゲだけが排出口から、魚網外へ、スムーズに排出される。
【００３７】
また、この魚網は、網上面に排出口を備え、魚網の排出口を、第四の枠体を用いて一定の形状に形成しているので、この魚網を用い、底曳網漁業や船曳網漁業等を行えば、底曳網漁業や船曳網漁業等中に、エチゼンクラゲのような大型のクラゲが魚網内に入った場合、クラゲは、一般に、魚網の上方に移動する傾向があるので、この傾向に従って、クラゲが排出口から、魚網の外にスムーズに排出される。
【００３８】
また、この魚網では、網上面に排出口に、第四の枠体に対して開閉可能なように枢着された第五の枠体を設けているので、魚網内に入ったエチゼンクラゲのような大型のクラゲが、網上面に排出口の近傍に漂っている場合に、第五の枠体を、第四の枠体に対して開いた状態にすることで、魚網内に入ったエチゼンクラゲのような大型のクラゲを、網上面に設けた排出口から魚網外へ排出できる。
【００３９】
のみならず、この魚網では、クラゲ遮断用の網を、魚網本体の網下面又は網下面の途中位置から、第四の枠体の、第四の枠体を魚網本体に取り付けた後に、魚網本体の開口部と反対側に位置する枠体部に設けているので、クラゲは、一般に、魚網の上方に移動する傾向があるので、この傾向に従って、魚網内に入ったエチゼンクラゲのような大型のクラゲは、排出口から、魚網の外にスムーズに排出される。
【００４０】
従って、この魚網を用い、底曳網漁業や船曳網漁業等を行えば、エチゼンクラゲのような大型のクラゲが大量に入網しても、網上面に設けた排出口から、そのようなエチゼンクラゲのような大型のクラゲが、魚網外へスムーズに排出されるので、魚網が破れることがない。
【００４１】
且つ、この魚網を用い、底曳網漁業や船曳網漁業等を行った後、この魚網を船上に引き上げた際に、魚網内には、エチゼンクラゲのような大型のクラゲが殆どいないので、クラゲと漁獲物との選別作業に手間がかかるという問題が生じない。
【００４２】
この結果、クラゲと漁獲物との選別作業に殆ど時間がかからないため、この魚網を用いると、漁獲物の鮮度が低下しないので、漁獲物の商品価値が著しく低下する、という問題が生じない。
【００４３】
のみならず、この魚網を用い、底曳網漁業や船曳網漁業等を行えば、そのような漁業中に、主にエチゼンクラゲのような大型のクラゲだけが排出口から、魚網外へ、スムーズに排出され、エチゼンクラゲよりも小さい大きさの魚介類は、袋部に追い入れられることとなるので、魚介類の漁獲量が減少する、という問題は生じず、むしろ、漁業中に、魚網外へエチゼンクラゲのような大型のクラゲが排出された分、一網作業当たりの魚の漁獲量が増加する。
【００４４】
更に、この魚網において、クラゲ遮断用の網を、網下面から網上面に設けられた排出口にかけて設けるのではなく、クラゲ遮断用の網を、網下面の途中位置から、網上面に設けられた排出口にかけて設けるようにした場合には、魚体の大きい、いわゆる底物と称される高級魚は、網下面と、クラゲ遮断用の網との間の隙間を通って、袋部に追い入れられることになるので、いわゆる底物と称される高級魚が、エチゼンクラゲのような大型のクラゲとともに、排出口から海中に排出されることが無い。
【００４５】
請求項３に記載の魚網では、請求項２に記載の魚網と同様、第四の枠体を、魚網の網上面に設けた排出口に取り付けることで、魚網の網上面に設けた排出口の形状が変化しないようにしている。
【００４６】
この結果、この魚網を用い、底曳網漁業や船曳網漁業等を行えば、底曳網漁業や船曳網漁業等中に、排出口の形状が種々の形状に変形することが無いので、クラゲが排出口から、網外へ、スムーズに排出される。
【００４７】
また、この魚網は、網上面に排出口を備え、魚網の排出口を、第四の枠体を用いて一定の形状に形成しているので、この魚網を用い、底曳網漁業や船曳網漁業等を行えば、底曳網漁業や船曳網漁業等中に、エチゼンクラゲのような大型のクラゲが魚網内に入った場合、クラゲには魚網の上方に移動する傾向があるので、この傾向に従って、エチゼンクラゲのような大型のクラゲが排出口から、魚網の外にスムーズに排出される。
【００４８】
また、この魚網では、網上面に排出口に、第四の枠体に対して開閉可能なように枢着された第五の枠体を設けているので、魚網内に入ったエチゼンクラゲのような大型のクラゲが、網上面に排出口の近傍に漂っている場合に、第五の枠体を、第四の枠体に対して開いた状態にすることで、魚網内に入ったエチゼンクラゲのような大型のクラゲを、網上面に設けた排出口から魚網外へ排出できる。
【００４９】
のみならず、この魚網では、クラゲ遮断用の網を、魚網本体の網下面又は網下面から途中位置から、第四の枠体の、第四の枠体を魚網本体に取り付けた後に、魚網本体の開口部と反対側に位置する枠体部に設けているので、クラゲは、一般に、魚網の上方に移動する傾向があるので、この傾向に従って、魚網内に入ったエチゼンクラゲのような大型のクラゲが、排出口から、魚網の外にスムーズに排出される。
【００５０】
従って、この魚網を用い、底曳網漁業や船曳網漁業等を行えば、エチゼンクラゲのような大型のクラゲが大量に入網しても、網上面に設けた排出口から、そのようなエチゼンクラゲのような大型のクラゲが、魚網外へスムーズに排出されるので、魚網が破れることがない。
【００５１】
且つ、この魚網を用い、底曳網漁業や船曳網漁業等を行った後、この魚網を船上に引き上げた際に、魚網内には、エチゼンクラゲのような大型のクラゲが殆どいないので、クラゲと漁獲物との選別作業に手間がかかるという問題が生じない。
【００５２】
この結果、クラゲと漁獲物との選別作業に殆ど時間がかからないため、この魚網を用いると、漁獲物の鮮度が低下しないので、漁獲物の商品価値が著しく低下する、という問題が生じない。
【００５３】
のみならず、この魚網を用い、底曳網漁業や船曳網漁業等を行えば、そのような漁業中に、主にエチゼンクラゲのような大型のクラゲだけが排出口から、網外へ、スムーズに排出され、エチゼンクラゲのような大型のクラゲよりも小さい大きさの魚介類は、袋部に追い入れられることとなるので、魚介類の漁獲量が減少する、という問題は生じず、むしろ、漁業中に、網外へエチゼンクラゲが排出された分、一網作業当たりの魚の漁獲量が増加する。
【００５４】
更に、この魚網において、クラゲ遮断用の網を、網下面から網上面に設けられた排出口にかけて設けるのではなく、クラゲ遮断用の網を、網下面から途中位置から、網上面に設けられた排出口にかけて設けるようにした場合には、魚体の大きい、いわゆる底物と称される高級魚は、網下面と、クラゲ遮断用の網との間の隙間を通って、袋部に追い入れられることになるので、いわゆる底物と称される高級魚が、エチゼンクラゲとともに、排出口から海中に排出されることが無い。
【００５５】
のみならず、この魚網では、請求項２に記載の魚網の、第四の枠体の、第四の枠体を魚網本体に取り付けた後に、魚網本体の開口部側となる枠体部には、第四の枠体に対し、後方に行くに従って下方に位置するように設けられた、クラゲ遮断用の網を取り付ける第六の枠体を更に設け、第四の枠体を魚網本体に取り付けた後に、第四の枠体の魚網本体の開口部の反対側に位置する枠体部の両端と、第六の枠体の前記魚網本体の開口部の反対側に位置する枠体部の両端には、これらを連接する一対の接続部材が設けられており、第四の枠体を魚網本体に取り付けた後に、第四の枠体の魚網本体の開口部の反対側に位置する枠体部、第六の枠体の魚網本体の開口部の反対側に位置する枠体部及び一対の連接部材により形成される枠体の目の大きさを、捕獲する漁獲物よりも大きく、且つ、エチゼンクラゲのような大型のクラゲの大きさよりも小さくし、クラゲ遮断用の網が、魚網本体の網下面又は網下面の途中位置から、第六の枠体の、第四の枠体を魚網本体に取り付けた後に、魚網の開口部と反対側に位置する枠体部に設けているので、第五の枠体が、エチゼンクラゲのような大型のクラゲを排出する際に、排出口を開いた状態にした際に、エチゼンクラゲのような大型のクラゲは、排出口から魚網の外に排出されるが、エチゼンクラゲのような大型のクラゲより小さい魚介類は、第四の枠体の魚網の開口部の反対側に位置する枠体部、第六の枠体の魚網の開口部の反対側に位置する枠体部及び一対の連接部材により形成される開口部を通過して、袋部に追い入れられる。
【００５６】
従って、この魚網を用い、底曳網漁業や船曳網漁業等を行えば、底曳網漁業や船曳網漁業等中に、主に、エチゼンクラゲのような大型のクラゲだけが排出口から、魚網外へ、スムーズに排出され、エチゼンクラゲのような大型のクラゲよりも小さい大きさの魚介類は、袋部に追い入れられることとなるので、魚介類の漁獲量が減少する、という問題は生じず、むしろ、底曳網漁業中に、網外へエチゼンクラゲのような大型のクラゲが排出された分、一網作業当たりの魚の漁獲量が増加する。
【００５７】
請求項４に記載の魚網では、クラゲ遮断用の網の目が、捕獲する漁獲物よりも大きく、且つ、エチゼンクラゲのような大型のクラゲの大きさよりも小さくしているので、この魚網を用いれば、底曳網漁業や船曳網漁業等中に、エチゼンクラゲのような大型のクラゲは、クラゲ遮断用の網の目に引っかかり、網上面に設けた排出口から網外へ排出される一方、捕獲する漁獲物は、袋部に追い込まれる。
【００５８】
この結果、この魚網を用いれば、底曳網漁業や船曳網漁業等中に、エチゼンクラゲのような大型のクラゲが大量に入網しても、網上面に設けた排出口から網外へ排出される結果、魚網が壊れることがない。
【００５９】
且つ、この魚網を用い、底曳網漁業や船曳網漁業等を行った後、この魚網を船上に引き上げた際に、魚網内には、エチゼンクラゲのような大型のクラゲが殆どいないので、クラゲと漁獲物との選別作業に手間がかかるという問題が生じない。
【００６０】
この結果、この魚網を用いれば、クラゲと漁獲物との選別作業に殆ど時間がかからないため、この魚網を用いると、漁獲物の鮮度が低下しないので、漁獲物の商品価値が著しく低下する、という問題が生じない。
【００６１】
請求項５に記載の魚網では、魚網用の枠部材が例えば重量物で構成され、船の速度によって、網上部の魚網用の枠部材が、下方に沈み込むような場合、魚網用の枠部材を構成する第四の枠体に、浮力調整部材を取り付け、網上部の魚網用の枠部材が、下方に沈み込むことを防止できる。
【００６２】
請求項６に記載の魚網では、第五の枠体の、第四の枠体を魚網に取り付けた後に、魚網の開口部側と反対側に位置する枠部に、第五の枠体を開くためのロープを接続しているので、網を漁船に上げる前に、網の上面に設けた排出口の近傍に、入網したエチゼンクラゲのような大型のクラゲが漂ってきたような場合、作業員（漁師等）は、船上からそのような状況を観察した場合、ロープを引っ張ることで、第五の枠体を、網上面に設けた排出口に対し開いた状態にすることで、魚網内に入ったエチゼンクラゲのような大型のクラゲを魚網外へ排出することができる。
【００６３】
この魚網を用い、底曳網漁業や船曳網漁業等を行えば、エチゼンクラゲのような大型のクラゲが大量に入網しても、ロープを引っ張ることで、第五の枠体を、網上面に設けた排出口に対し開いた状態にし、網上面に設けた排出口から、そのようなエチゼンクラゲのような大型のクラゲを、網外へスムーズに排出することができるので、網が破れることがない。
【００６４】
且つ、この魚網を用いれば、底曳網漁業や船曳網漁業中に、エチゼンクラゲのような大型のクラゲが大量に入網しても、ロープを引っ張ることで、第五の枠体を、網上面に設けた排出口に対し開いた状態にし、網上面に設けた排出口から、そのようなエチゼンクラゲのような大型のクラゲを、魚網外へ排出しているので、底曳網漁業や船曳網漁業等を行った後、この魚網を船上に引き上げた際に、魚網内には、エチゼンクラゲのような大型のクラゲが殆どいないので、クラゲと漁獲物との選別作業に手間がかかるという問題が生じない。
【００６５】
請求項７に記載の魚網では、魚網用の枠部材を構成する第五の枠体が過度に網上部の排出口を開いた状態にするような場合に、魚網用の枠部材を構成する第五の枠体の重量を、重りを取り付けることで、排出口から、エチゼンクラゲのような大型のクラゲを排出するのに適した重さになるように調整できる。
【００６６】
請求項８に記載の曳網は、請求項２〜７のいずれかに記載の魚網を備えるので、この曳網を用いれば、底曳網漁業や船曳網漁業等中に、エチゼンクラゲのような大型のクラゲが大量に魚網内に入ったとしても、網上面に設けた排出口から網外へ排出される結果、魚網が壊れることがない。
【００６７】
且つ、この曳網を用い、底曳網漁業や船曳網漁業等を行った後、この魚網を船上に引き上げた際に、魚網内には、エチゼンクラゲのような大型のクラゲが殆どいないので、クラゲと漁獲物との選別作業に手間がかかるという問題が生じない。
【００６８】
この結果、この曳網を用いれば、クラゲと漁獲物との選別作業に殆ど時間がかからないため、この魚網を用いると、漁獲物の鮮度が低下しないので、漁獲物の商品価値が著しく低下する、という問題が生じない。
【発明を実施するための最良の形態】
【００６９】
以下、本発明に係る魚網及び魚網用の枠部材の一例について、図面を参照しながら、更に、詳しく説明する。
【００７０】
図１は、本発明に係る魚網の一例の構成を模式的に示す構成図である。
【００７１】
尚、図１では、魚網の内部構造を説明するために、網目の一部については図示するのを省略している。
【００７２】
この魚網１は、網上面２と、網下面３と、一対の網側面４、４とを備える袋状の網本体５を備える。
【００７３】
網下面３の前方側（この魚網１を魚船（図示せず。）で引き回した際に、魚網１の入り口側）には、沈子６・・・が取り付けられ、網上面２の前方側（この魚網１を魚船（図示せず。）で引き回した際に、魚網１の入り口側）及び一対の網側面４、４の前方側（この魚網１を魚船（図示せず。）により引き回した際に、魚網本体５の入り口側）には、浮子７・・・が取り付けられている。
【００７４】
また、８、８で示す部材は、魚船（図示せず。）と魚網１とを繋ぐ、魚網曳用ロープを示している。
【００７５】
また、９で示す部材は、魚網本体５の入り口部分の開口を確保するために必要により設けられる棒（ビーム）を示している。
【００７６】
この魚網１の以上の構成は、従来の底曳網の構成と同様であるが、この魚網１は、以下の構成を備える点で、従来の底曳網及び図９に示す魚網１０１と異なっている。
【００７７】
即ち、この魚網１は、網上面２に、エチゼンクラゲのような大型のクラゲを排出するための排出口ｈ１を備え、この排出口ｈ１には、魚網用の枠部材１１が取り付けられている。
【００７８】
次に、魚網用の枠部材１１の構成について、説明する。
【００７９】
図２は、魚網用の枠部材１１の構成を概略的に示す斜視図であり、図３は、図２に示す魚網用の枠部材１１をその上方から下方に見た状態を概略的に示す平面図である。
【００８０】
尚、図３中では、魚網用の枠部材１１中、網部材については図示するのを省略し、枠部材のみを図示している。
【００８１】
また、図４は、図２に示す魚網用の枠部材１１を、図３中、矢印Ａｒ１方向に見た状態を概略的に示す側面図である。
【００８２】
また、図５は、図２に示す魚網用の枠部材１１を、図３中、矢印Ａｒ２方向に見た状態を概略的に示す正面図である。
【００８３】
この魚網用の枠部材１１は、魚網１の網上面２に設けた排出口ｈ１の形状を一定に形成するための第一の枠体１２と、第一の枠体１２の、第一の枠体１２を魚網本体５に取り付けた後に、魚網本体５の開口部側（この魚網１を魚船（図示せず。）により引き回した際に、魚網１の入り口側）に、第一の枠体１２の枠体部１２ａに対して開閉可能なように枢着された第二の枠体１３と、第一の枠体１２の、魚網１の開口部側（この魚網１を魚船（図示せず。）により引き回した際に、魚網１の入り口側）から後方に行くに従って、第一の枠体１２に対して、下方に位置するように設けられた、クラゲ遮断用の網（図１中に示す、クラゲ遮断用の網１０）を取り付ける第三の枠体１４と、第一の枠体１２を魚網本体５に取り付けた後に、第一の枠体１２の魚網本体５の開口部（この魚網１を魚船（図示せず。）により引き回した際の、魚網１の入り口）の反対側に位置する枠体部１２ｂの両端の各々と、第三の枠体１４の魚網１の開口部（この魚網１を魚船（図示せず。）で引き回した際に、魚網１の入り口）の反対側に位置する枠体部の両端１４ａの各々とを連接する一対の接続部材１５、１５とを備える。
【００８４】
更に、この魚網用の枠部材１１では、第一の枠体１２を魚網本体５に取り付けた後に、第一の枠体１２の魚網１の開口部（この魚網１を魚船（図示せず。）により引き回した際の、魚網１の入り口）の反対側に位置する枠体部１２ｂ、第三の枠体１４の魚網１の開口部（この魚網１を魚船（図示せず。）で引き回した際の、魚網１の入り口）の反対側に位置する枠体部１４ｂ及び一対の連接部材１５、１５により形成される枠体１６の目１７、１７の大きさを、捕獲する漁獲物よりも大きく、且つ、エチゼンクラゲのような大型のクラゲの大きさよりも小さくしている。
【００８５】
尚、１８で示す部材は、枠体１６を補強することや、目１７の大きさをエチゼンクラゲのような大型のクラゲの大きさよりも小さくするために設けられる補強材（棒）を示している。
【００８６】
且つ、この魚網用の枠部材１１では、第二の枠体１３の開口部（図３に示す、開口部ｈ１３）には、網部材（図２に示す網部材１９）が設けられる（取り付ける）ようにされている。
【００８７】
尚、図３中、１３ａで示す部材は、網部材（図２に示す網部材１９）を取り付ける、網部材取付枠を示している。
【００８８】
また、図２中、２０で示す部材は、浮力調整部材（この例では、浮き）を示している。
【００８９】
この魚網１では、浮力調整部材（この例では、浮き）２０は、第一の枠体１２に取り付けできるようになっている。
【００９０】
この浮力調整部材（この例では、浮き）２０は、魚介類を採るために、魚網１を、漁船（図示せず。）により引き回した際に、魚網用の枠部材１１が、その重量によって、下方に沈み込むような場合に、第一の枠体１２に、適当個を取り付けることで、網上部の魚網用の枠部材が、下方に沈み込むことを防止するために使用するものである。
【００９１】
また、図２中、２１で示す部材は、重りを示している。
【００９２】
この魚網１では、重り２１は、第二の枠体１３に取り付けできるようになっている。
【００９３】
この重り２１は、魚網用の枠部材１１を構成する第二の枠体１３が過度に網上面２の排出口ｈ１を開いた状態にするような場合に、適当個の重り２１を第二の枠体１３に取り付けることで、第二の枠体１３の重さを、排出口ｈ１から、エチゼンクラゲのような大型のクラゲを排出するのに適した重さに調整するために使用するものである。
【００９４】
また、図３中、１３ｃで示す部材は、重り２１を取り付けるための、重り取付け部材（棒）を示しており、重り取付け部材（棒）は、第三の枠体１３の、第一の枠体１２を魚網本体５に取り付けた後に、第一の枠体１２の魚網１の開口部（この魚網１を魚船（図示せず。）により引き回した際の、魚網１の入り口）の反対側に位置する枠体部１３ｂに設けられる。
【００９５】
また、図１中、２２で示す部材は、ロープを示しており、このロープ２２は、第二の枠体１３の、第一の枠体１２を魚網本体５に取り付けた後に、魚網１の開口部側と反対側に位置する枠体部（図３及び図４の各々に示す枠体部１３ｂ）と、魚網１の開口部（入り口）側上面の漁船との間を接続するように設けられる。
【００９６】
尚、図３及び図４中に、２３で示す部材は、ロープ２２を取り付けるために、第二の枠体１３の、第一の枠体１２を魚網本体５に取り付けた後に、魚網１の開口部側と反対側に位置する枠体部（図３及び図４の各々に示す枠体部１３ｂ）に設けられたロープ取付具を示している。
【００９７】
尚、エチゼンクラゲのような大型のクラゲは、既に述べたように、重さが２００ｋｇ、カサの直径が１ｍ以上の大型のクラゲであるので、クラゲ遮断用の網１０の目及び枠体１６の目１７、１７の大きさは、例えば、約１ｍ以下６０ｃｍ以上×約１ｍ以下６０ｃｍ程度、より好ましくは、幅を約１ｍ以下６０ｃｍ以上、高さを１５ｃｍ以上２０ｃｍ以下にする。
【００９８】
次に、魚網１の使用法を例示的に説明する。
【００９９】
この魚網１は、例えば、底曳網漁業や船曳網漁業その他の曳網として使用する。
【０１００】
底曳網漁業や船曳網漁業をする際には、魚網１と漁船（図示せず。）との間を魚網曳用ロープ８、８を用いて接続し、魚網１を漁船（図示せず。）により海中を引き回す。
【０１０１】
図６は、魚網１の通常の状態を、魚網本体５の網上面２に設けた排出口ｈ１及びこの部分を中心に示す模式的な断面図であり、また、図７は、魚網１が、魚網１内に入ったエチゼンクラゲのような大型のクラゲを魚網１外へ排出する状態を、魚網本体５の網上面２に設けた排出口ｈ１及びこの部分を中心に示す模式的な断面図である。
【０１０２】
尚、図６及び図７の各々において、魚網本体５の網目については、図示するのを省略している。
【０１０３】
この魚網１は、通常は、図６に示すように、排出口ｈ１は、第二の枠体１３によって閉じられた状態になっている。
【０１０４】
一方、魚網１中にエチゼンクラゲのような大型のクラゲが入り、魚網１中に入ったエチゼンクラゲのような大型のクラゲが、魚網１を漁船に上げる前に、網の上面に設けた排出口の近傍に、入網したエチゼンクラゲのような大型のクラゲが漂ってきたような場合、作業員（漁師等）は、船上からそのような状況を観察した場合、ロープ２２を引っ張ることで、第二の枠体１３を、第一の枠体１２に対して開いた状態にすることで、魚網１内に入ったエチゼンクラゲのような大型のクラゲを、網上面２に設けた排出口ｈ１から魚網１外へ排出できる。
【０１０５】
この魚網１では、第一の枠体１２を、魚網本体５の網上面２に設けた排出口ｈ１に取り付けることで、魚網本体５の網上面２に設けた排出口ｈ１の形状が変化しないようにしている。
【０１０６】
この結果、この魚網１を用い、底曳網漁業や船曳網漁業等を行えば、底曳網漁業や船曳網漁業等中に、排出口ｈ１の形状が種々の形状に変形することが無いので、エチゼンクラゲのような大型のクラゲが排出口ｈ１から、魚網１外へ、スムーズに排出される。
【０１０７】
また、この魚網１は、魚網本体５の網上面２に排出口ｈ１を備え、魚網本体５の排出口ｈ１を、第一の枠体１２を用いて一定の形状に形成しているので、この魚網１を用い、底曳網漁業や船曳網漁業等を行えば、底曳網漁業や船曳網漁業等中に、エチゼンクラゲのような大型のクラゲが網内に入った場合、クラゲは魚網１の上方に移動する傾向があるので、この傾向に従って、エチゼンクラゲのような大型のクラゲが排出口ｈ１から、魚網１の外にスムーズに排出される。
【０１０８】
従って、この魚網１を用い、底曳網漁業や船曳網漁業等を行えば、エチゼンクラゲのような大型のクラゲが大量に魚網１中に入ったとしても、網上面２に設けた排出口ｈ１から、そのようなエチゼンクラゲのような大型のクラゲが、魚網１外へスムーズに排出されるので、魚網１が破れることがない。
【０１０９】
且つ、この魚網１を用い、底曳網漁業や船曳網漁業等を行った後、この魚網１を船上に引き上げた際に、魚網１内には、エチゼンクラゲのような大型のクラゲが殆どいないので、クラゲと漁獲物との選別作業に手間がかかるという問題が生じない。
【０１１０】
この結果、クラゲと漁獲物との選別作業に殆ど時間がかからないため、この魚網１を用いると、漁獲物の鮮度が低下しないので、漁獲物の商品価値が著しく低下する、という問題が生じない。
【０１１１】
のみならず、この魚網１を用い、底曳網漁業や船曳網漁業等を行えば、そのような漁業中に、主にエチゼンクラゲのような大型のクラゲだけが排出口ｈ１から、魚網１外へ、スムーズに排出され、エチゼンクラゲのような大型のクラゲよりも小さい大きさの魚は、袋部（図１に示す袋部１ａ）に追い入れられることとなるので、魚の漁獲量が減少する、という問題は生じず、むしろ、漁業中に、魚網１外へエチゼンクラゲのような大型のクラゲが排出された分、一網作業当たりの魚の漁獲量が増加する。
【０１１２】
更に、この魚網１では、クラゲ遮断用の網１０を、網下面３から網上面２に設けられた排出口ｈ１にかけて設けるのではなく、クラゲ遮断用の網１０を、網下面３から途中位置（図６及び図７に示す網側面４、４の網底面Ｐ１、Ｐ１から所定の高さ離れた位置）から、網上面２に設けた排出口ｈ１にかけて設けるようにしているので、魚体の大きい、いわゆる底物と称される高級魚は、網下面３と、クラゲ遮断用の網１０との間の隙間（図６及び図７に示す隙間Ｓｐ）を通って、袋部（図１に示す袋部１ａ）に追い入れられることになるので、いわゆる底物と称される高級魚が、エチゼンクラゲのような大型のクラゲとともに、排出口ｈ１から海中に排出されることが無い。
【０１１３】
のみならず、この魚網１には、第一の枠体１２の、第一の枠体１２を魚網本体５に取り付けた後に、魚網本体５の開口部側となる枠体部１２ａには、第一の枠体１２に対し、後方に行くに従って下方に位置するように設けられた、クラゲ遮断用の網を取り付ける第三の枠体１４を更に設け、第一の枠体１２を魚網本体５に取り付けた後に、第一の枠体１２の魚網本体５の開口部の反対側に位置する枠体部１２ｂの両端と、第三の枠体１４の魚網本体５の開口部の反対側に位置する枠体部１４ｂの両端には、これらを連接する一対の接続部材１５、１５が設けられている。
【０１１４】
且つ、この魚網１では、第一の枠体１２を魚網本体５に取り付けた後に、第一の枠体１２の魚網本体５の開口部の反対側に位置する枠体部１２ｂ、第三の枠体１４の魚網本体５の開口部の反対側に位置する枠体部１４ｂ及び一対の連接部材１５、１５により形成される枠体１６の目１７、１７の大きさを、捕獲する漁獲物よりも大きく、且つ、エチゼンクラゲのような大型のクラゲの大きさよりも小さくし、クラゲ遮断用の網１０を、魚網本体５の網下面３から途中位置Ｐ１から、第三の枠体１４の、第一の枠体１２を魚網本体５に取り付けた後に、魚網１の開口部と反対側に位置する枠体部１４ｂに設けているので、第二の枠体１３が、魚網１内に入った、エチゼンクラゲのような大型のクラゲを魚網１外へ排出する際に、排出口ｈ１を開いた状態にした際に、エチゼンクラゲのような大型のクラゲは、排出口ｈ１から魚網１の外に排出されるが、エチゼンクラゲのような大型のクラゲより小さい魚は、第一の枠体１２の魚網１の開口部の反対側に位置する枠体部１２ｂ、第三の枠体１４の魚網１の開口部の反対側に位置する枠体部１４ｂ及び一対の連接部材５、５により形成される枠体１７、を通過して、袋部（図１中に示す袋部１ａ）に追い入れられる。
【０１１５】
従って、この魚網１を用い、底曳網漁業や船曳網漁業等を行えば、底曳網漁業や船曳網漁業等中に、主に、魚網１内に入った、エチゼンクラゲのような大型のクラゲだけが排出口ｈ１から、魚網１外へ、スムーズに排出され、エチゼンクラゲのような大型のクラゲよりも小さい大きさの魚は、袋部（図１中に示す袋部１ａ）に追い入れられることとなるので、魚の漁獲量が減少する、という問題は生じず、むしろ、底曳網漁業や船曳網漁業等中に、魚網１外へ、エチゼンクラゲのような大型のクラゲが排出された分、一網作業当たりの魚の漁獲量が増加する。
【０１１６】
また、この魚網１では、クラゲ遮断用の網１０の目が、捕獲する漁獲物よりも大きく、且つ、エチゼンクラゲのような大型のクラゲの大きさよりも小さくしているので、この魚網１を用いれば、底曳網漁業や船曳網漁業等中に、エチゼンクラゲのような大型のクラゲは、クラゲ遮断用の網１０の目に引っかかり、網上面２に設けた排出口ｈ１から魚網１外へ排出される一方、捕獲する漁獲物は、袋部（図１中に示す袋部１ａ）に追い込まれる。
【０１１７】
この結果、この魚網１を用いれば、底曳網漁業や船曳網漁業等中に、エチゼンクラゲのような大型のクラゲが大量に魚網１内に入ったとしても、そのようなエチゼンクラゲのような大型のクラゲは、網上面２に設けた排出口ｈ１から網外へ排出される結果、魚網１が壊れることがない。
【０１１８】
且つ、この魚網１を用い、底曳網漁業や船曳網漁業等を行った後、この魚網１を船上に引き上げた際に、魚網１内には、エチゼンクラゲのような大型のクラゲが殆どいないので、クラゲと漁獲物との選別作業に手間がかかるという問題が生じない。
【０１１９】
この結果、この魚網１を用いれば、クラゲと漁獲物との選別作業に殆ど時間がかからないため、この魚網１を用いると、漁獲物の鮮度が低下しないので、漁獲物の商品価値が著しく低下する、という問題が生じない。
【０１２０】
尚、上記した発明の実施の形態中で説明した、魚網１は、本発明に係る魚網を説明するために用いたものであって、本発明に係る魚網は、魚網１に限定されることはない。
【０１２１】
図８は、本発明に係る魚網の他の一例を魚網本体の網上面に設けた排出口及びこの部分を中心に示す模式的な断面図である。
【０１２２】
尚、図８において、魚網本体５の網目については、図示するのを省略している。
【０１２３】
この魚網１Ａは、魚網１とは、以下の構成が異なる以外は、魚網１と同様の構成を備えるので、図８中に示す魚網１Ａの構成部材中、魚網１の構成部材に相当する構成部材については、魚網１の構成部材と同一の参照符号を付して、その説明を省略する。
【０１２４】
この魚網１Ａは、クラゲ遮断用の網１０を、網下面３から網上面２に設けられた排出口ｈ１にかけて設けている点で、魚網１と、その構成が異なっている。
【０１２５】
より具体的に説明すると、この魚網１Ａでは、第一の枠体１２を魚網本体５に取り付けた後に、第一の枠体１２の魚網本体５の開口部の反対側に位置する枠体部１２ｂ、第三の枠体１４の魚網本体５の開口部の反対側に位置する枠体部１４ｂ及び一対の連接部材１５、１５により形成される枠体１６の目１７、１７の大きさを、捕獲する漁獲物よりも大きく、且つ、エチゼンクラゲのような大型のクラゲの大きさよりも小さくし、クラゲ遮断用の網１０を、魚網本体５の網下面３から、第三の枠体１４の、第一の枠体１２を魚網本体５に取り付けた後に、魚網１の開口部と反対側に位置する枠体部１４ｂに設けている。
【０１２６】
また、図９は、本発明に係る魚網の他の一例を魚網本体の網上面に設けた排出口及びこの部分を中心に示す模式的な断面図である。
【０１２７】
尚、図９において、魚網本体５の網目については、図示するのを省略している。
【０１２８】
この魚網１Ｂは、魚網１とは、以下の構成が異なる以外は、魚網１と同様の構成を備えるので、図８中に示す魚網１Ｂの構成部材中、魚網１の構成部材に相当する構成部材については、魚網１の構成部材と同一の参照符号を付して、その説明を省略する。
【０１２９】
この魚網１Ｂは、魚網用の枠部材１１の代わりに、魚網用の枠部材２１を用いている点で、魚網１とはその構成が異なっている。
【０１３０】
より具体的に説明すると、この魚網１Ｂは、第一の枠体１２と、第一の枠体１２を開閉する第２の枠体１３とを備えている点では、魚網１と同様の構成を備えるが、第三の枠体１４が無い点で、魚網１とは、その構成が異なっている。
【０１３１】
また、この魚網１Ｂは、クラゲ遮断用の網１０を、魚網本体５の網下面３又は網下面３から途中の位置（図６及び図７に示す途中位置Ｐ１を参照）から、第一の枠体１２を魚網本体５に取り付けた後に、第一の枠体１２の魚網本体５の開口部の反対側に位置する枠体部１２ｂにかけて設けている点で、魚網１とは、その構成が異なっている。
【０１３２】
上記した魚網１Ａ及び魚網１Ｂも、魚網１と同様、魚網１Ａ、１Ｂ内に入った、エチゼンクラゲのような大型のクラゲを、魚網本体５の網上面２に設けられている排出口ｈ１から排出することができる。
【０１３３】
また、上記した発明の実施の形態では、魚網１内に入ったエチゼンクラゲのような大型のクラゲを魚網本体５の網上面２に設けられている排出口ｈ１から排出する際に、ロープ２２を引っ張ることで、第二の枠体１３を排出口ｈ１に対し、開いた状態にした例を示したが、図２に示す重り２１を適当個用いることで、ロープ２２を設けることなく、適当個の重り２１により、エチゼンクラゲのような大型のクラゲが、魚網本体５の網上面２に設けられている排出口ｈ１に来ると、第二の枠体１３が、勝手に、排出口ｈ１に対し、開いた状態にし、排出口ｈ１から魚網１外へ、エチゼンクラゲのような大型のクラゲを排出するようにしても良い。
【０１３４】
尚、本明細書では、第一の枠体、第二の枠体、第三の枠体、第四の枠体、第五の枠体及び第六の枠体という用語を用いているが、これは、これらの部材を、便宜上、そのように規定したものであり、第一の枠体と第四の枠体とは等価な関係にある部材であり、第二の枠体と第五の枠体とは等価な関係にある部材であり、また、第三の枠体と第六の枠体とは等価な関係にある部材であることを付記しておく。
【産業上の利用可能性】
【０１３５】
本発明に係る魚網用の枠体は、エチゼンクラゲのような大型のクラゲが魚網内に入ったとしても、そのようなエチゼンクラゲのような大型のクラゲが、魚網外へ排出されるようにした魚網を作製する際に用いるものであり、本発明に係る魚網及び曳網は、エチゼンクラゲのような大型のクラゲが魚網内に入ったとしても、そのようなエチゼンクラゲのような大型のクラゲが、魚網外へ排出されるので、産業上有用である。
【図面の簡単な説明】
【０１３６】
【図１】本発明に係る魚網の一例の構成を模式的に示す構成図である。
【図２】本発明に係る魚網用の枠部材の構成を概略的に示す斜視図である。
【図３】図２に示す魚網用の枠部材をその上方から下方に見た状態を概略的に示す平面図である。
【図４】図２に示す魚網用の枠部材を、図３中、矢印Ａｒ１方向に見た状態を概略的に示す側面図である。
【図５】図２に示す魚網用の枠部材を、図３中、矢印Ａｒ２方向に見た状態を概略的に示す正面図である。
【図６】図１に示す魚網の通常の状態を、魚網本体の網上面に設けた排出口及びこの部分を中心に示す模式的な断面図である。
【図７】図１に示す魚網が、魚網内に入ったエチゼンクラゲのような大型のクラゲを魚網外へ排出する状態を、魚網本体の網上面に設けた排出口及びこの部分を中心に示す模式的な断面図である。
【図８】本発明に係る魚網の他の一例を魚網本体の網上面に設けた排出口及びこの部分を中心に示す模式的な断面図である。
【図９】本発明に係る魚網の他の一例を魚網本体の網上面に設けた排出口及びこの部分を中心に示す模式的な断面図である。
【図１０】従来の底曳網を模式的に示す説明図である。
【図１１】図１０に示す底曳網が、底曳網内に入った、エチゼンクラゲのような大型のクラゲを、底曳網１０１外へ排出する状態を、その排出口及びその近傍を中心に説明する摸式的な断面図である。
【符号の説明】
【０１３７】
１、１Ａ、１Ｂ  魚網  
２  網上面
３  網下面
４  網側面
５  魚網本体
６  沈子
７  浮子
８  魚網曳用ロープ
１１、２１  魚網用の枠部材
１２  第一の枠体
１２ｂ、１３ｂ、１４ｂ  枠体部
１３  第二の枠体
１３ａ  網部材取付枠
１４  第三の枠体
１５  接続部材
１６  枠体
１７  枠体の目
１９  網部材
２０  浮力調整部材
２１  重り
２２  ロープ
２３  ロープ取付具
ｈ１  排出口
ｈ１３  第二の枠体の開口部
【図１】
2007028929.tif 000003
【図２】
2007028929.tif 000004
【図３】
2007028929.tif 000005
【図４】
2007028929.tif 000006
【図５】
2007028929.tif 000007
【図６】
2007028929.tif 000008
【図７】
2007028929.tif 000009
【図８】
2007028929.tif 000010
【図９】
2007028929.tif 000011
【図１０】
2007028929.tif 000012
【図１１】
2007028929.tif 000013